(57)【要約】【課題】蓄積された文書を短時間で思いだし、認識することを可能にさせる巡回瞬時復習支援装置及び巡回瞬時復習支援プログラムを提供する。【解決手段】  開始指示部２２が、利用者の指示、動作状態、スケジュール等に基づき巡回瞬時復習の開始指示を出力すると、提示情報選択部２４が、要約作成部２８が予め作成し、記憶装置１８に格納しておいた要約から提示情報を選択する。また、提示制御部２６が、利用者が指示した継続時間及び提示時間を取得する。次に、提示制御部２６は、提示情報選択部２４が選択した提示情報を、上記提示時間毎に切り替えながら提示装置１２に提示させ、この状態を継続時間が経過するまで継続する。【選択図】図２
2009151366.tif 000002
【特許請求の範囲】
【請求項１】
巡回瞬時復習の開始を指示する開始指示手段と、
予め要約されて格納された巡回瞬時復習の対象情報から提示する情報を選択する提示情報選択手段と、
前記開始指示手段の指示に応じて、前記提示情報を予め指定した提示時間毎に切り替えながら提示手段に提示させる処理を、予め指定した継続時間の間継続する提示制御手段と、
を備えることを特徴とする巡回瞬時復習支援装置。
【請求項２】
請求項１記載の巡回瞬時復習支援装置において、前記開始指示手段は、利用者の動作状態に応じて巡回瞬時復習の開始を指示することを特徴とする巡回瞬時復習支援装置。
【請求項３】
請求項１記載の巡回瞬時復習支援装置において、前記開始指示手段は、予め登録された利用者のスケジュールに基づいて巡回瞬時復習の開始を指示することを特徴とする巡回瞬時復習支援装置。
【請求項４】
請求項１記載の巡回瞬時復習支援装置において、前記開始指示手段は、利用者の入力に応じて巡回瞬時復習の開始を指示することを特徴とする巡回瞬時復習支援装置。
【請求項５】
請求項１から請求項４のいずれか一項記載の巡回瞬時復習支援装置において、前記提示情報選択手段は、巡回瞬時復習に既に使用した情報と、まだ使用していない情報とに基づいて次の巡回瞬時復習に使用する情報を選択することを特徴とする巡回瞬時復習支援装置。
【請求項６】
請求項１から請求項４のいずれか一項記載の巡回瞬時復習支援装置において、前記提示情報選択手段は、情報が属する分野または情報が該当する項目毎に巡回瞬時復習に使用する情報を選択することを特徴とする巡回瞬時復習支援装置。
【請求項７】
請求項１から請求項６のいずれか一項記載の巡回瞬時復習支援装置において、前記提示情報は、画面に表示されることを特徴とする巡回瞬時復習支援装置。
【請求項８】
請求項１から請求項６のいずれか一項記載の巡回瞬時復習支援装置において、前記提示情報は、音声により読み上げられることを特徴とする巡回瞬時復習支援装置。
【請求項９】
請求項１から請求項８のいずれか一項記載の巡回瞬時復習支援装置において、前記提示制御手段は、利用者のスケジュールに基づいて前記継続時間を決定することを特徴とする巡回瞬時復習支援装置。
【請求項１０】
請求項９記載の巡回瞬時復習支援装置において、前記提示制御手段は、前記継続時間と前記提示情報の数とから前記提示時間を決定することを特徴とする巡回瞬時復習支援装置。
【請求項１１】
コンピュータを、
巡回瞬時復習の開始を指示する開始指示手段、
予め要約されて格納された巡回瞬時復習の対象情報から提示する情報を選択する提示情報選択手段、
前記開始指示手段の指示に応じて、前記提示情報を予め指定した提示時間毎に切り替えながら提示手段に提示させる処理を、予め指定した継続時間の間継続する提示制御手段、
として機能させることを特徴とする巡回瞬時復習支援プログラム。
【発明の詳細な説明】
【技術分野】
【０００１】
本発明は、巡回瞬時復習支援装置及び巡回瞬時復習支援プログラムに関する。
【背景技術】
【０００２】
日々多数の業務を行っている個人及び組織には、大量の文書が蓄積されている。このような文書を有効に活用するために、業務を行う前に文書を短時間で復習する、いわゆるフラッシュレビュー（瞬時復習）を支援する装置が下記特許文献１に開示されている。
【０００３】
ところで、蓄積された文書の数が増大すると、通常その存在自体も忘れられ、有効に活用することが困難になる。そこで、蓄積された大量の文書を死蔵させず有効活用する技術が望まれる。
【特許文献１】特開２００７−１４８５０８号公報
【発明の開示】
【発明が解決しようとする課題】
【０００４】
本発明の目的は、蓄積された文書を短時間で思いだし、認識することを可能にさせる巡回瞬時復習支援装置及び巡回瞬時復習支援プログラムを提供することにある。
【課題を解決するための手段】
【０００５】
上記目的を達成するために、請求項１記載の巡回瞬時復習支援装置の発明は、巡回瞬時復習の開始を指示する開始指示手段と、予め要約されて格納された巡回瞬時復習の対象情報から提示する情報を選択する提示情報選択手段と、前記開始指示手段の指示に応じて、前記提示情報を予め指定した提示時間毎に切り替えながら提示手段に提示させる処理を、予め指定した継続時間の間継続する提示制御手段と、を備えることを特徴とする。
【０００６】
請求項２記載の発明は、請求項１記載の発明において、前記開始指示手段が、利用者の動作状態に応じて巡回瞬時復習の開始を指示することを特徴とする。
【０００７】
請求項３記載の発明は、請求項１記載の発明において、前記開始指示手段が、予め登録された利用者のスケジュールに基づいて巡回瞬時復習の開始を指示することを特徴とする。
【０００８】
請求項４記載の発明は、請求項１記載の発明において、前記開始指示手段が、利用者の入力に応じて巡回瞬時復習の開始を指示することを特徴とする。
【０００９】
請求項５記載の発明は、請求項１から請求項４のいずれか一項記載の発明において、前記提示情報選択手段が、巡回瞬時復習に既に使用した情報と、まだ使用していない情報とに基づいて次の巡回瞬時復習に使用する情報を選択することを特徴とする。
【００１０】
請求項６記載の発明は、請求項１から請求項４のいずれか一項記載の発明において、前記提示情報選択手段が、情報が属する分野または情報が該当する項目毎に巡回瞬時復習に使用する情報を選択することを特徴とする。
【００１１】
請求項７記載の発明は、請求項１から請求項６のいずれか一項記載の発明において、前記提示情報が、画面に表示されることを特徴とする。
【００１２】
請求項８記載の発明は、請求項１から請求項６のいずれか一項記載の発明において、前記提示情報が、音声により読み上げられることを特徴とする。
【００１３】
請求項９記載の発明は、請求項１から請求項８のいずれか一項記載の発明において、前記提示制御手段が、利用者のスケジュールに基づいて前記継続時間を決定することを特徴とする。
【００１４】
請求項１０記載の発明は、請求項９記載の発明において、前記提示制御手段が、前記継続時間と前記提示情報の数とから前記提示時間を決定することを特徴とする。
【００１５】
請求項１１記載の巡回瞬時復習支援プログラムの発明は、コンピュータを、巡回瞬時復習の開始を指示する開始指示手段、予め要約されて格納された巡回瞬時復習の対象情報から提示する情報を選択する提示情報選択手段、前記開始指示手段の指示に応じて、前記提示情報を予め指定した提示時間毎に切り替えながら提示手段に提示させる処理を、予め指定した継続時間の間継続する提示制御手段、として機能させることを特徴とする。
【発明の効果】
【００１６】
請求項１の発明によれば、本構成を用いない装置に比べて、蓄積された文書を短時間で思いだし、認識することを可能にさせる。
【００１７】
請求項２の発明によれば、本構成を用いない装置に比べて、利用者の状態に応じた巡回瞬時復習の支援が可能となる。
【００１８】
請求項３の発明によれば、本構成を用いない装置に比べて、利用者のスケジュールに応じた巡回瞬時復習の支援が可能となる。
【００１９】
請求項４の発明によれば、本構成を用いない装置に比べて、利用者の指示に応じた巡回瞬時復習の支援が可能となる。
【００２０】
請求項５の発明によれば、本構成を用いない装置に比べて、情報の使用状態に応じて巡回瞬時復習に使用する情報の選択を行うことができる。
【００２１】
請求項６の発明によれば、本構成を用いない装置に比べて、情報が属する分野または情報が該当する項目毎に巡回瞬時復習に使用する情報の選択を行うことができる。
【００２２】
請求項７の発明によれば、本構成を用いない装置に比べて、巡回瞬時復習に使用する情報を視覚的に認識することができる。
【００２３】
請求項８の発明によれば、本構成を用いない装置に比べて、巡回瞬時復習に使用する情報を聴覚により認識でき、他の業務を行いながら巡回瞬時復習を実施することができる。
【００２４】
請求項９の発明によれば、本構成を用いない装置に比べて、利用者のスケジュールに基づいて巡回瞬時復習の継続時間を決定することができる。
【００２５】
請求項１０の発明によれば、本構成を用いない装置に比べて、巡回瞬時復習の継続時間と提示情報の数とに適した提示時間を決定することができる。
【００２６】
請求項１１の発明によれば、本構成を用いない装置に比べて、蓄積された文書を短時間で思いだし、認識することを可能にさせる巡回瞬時復習支援プログラムを提供できる。
【発明を実施するための最良の形態】
【００２７】
以下、本発明を実施するための最良の形態（以下、実施形態という）を、図面に従って説明する。
【００２８】
図１には、本発明にかかる巡回瞬時復習支援装置のハードウエア構成の例が示される。図１において、巡回瞬時復習支援装置１０は、例えば汎用のコンピュータ端末等により実現され、提示装置１２、入力装置１４、処理部１６、記憶装置１８及び通信装置２０を含んで構成されている。
【００２９】
提示装置１２は、ＬＣＤあるいはＣＲＴ（Ｃａｔｈｏｄｅ  Ｒａｙ  Ｔｕｂｅ）で構成された表示装置１２ａあるいはスピーカ等で構成された音声再生装置１２ｂを含んでおり、予め要約されて記憶装置１８に格納された瞬時復習の対象情報を画面表示あるいは音声による読み上げにより利用者に提示する。
【００３０】
入力装置１４は、キーボード及びポインティングデバイス等を含んで構成され、利用者が動作指示等を入力するために使用する。
【００３１】
処理部１６は、中央処理装置（例えばＣＰＵを使用することができる）１６１及びメモリ１６２等を含んで構成され、ＣＰＵ１６１の処理動作を制御するプログラムを実行して後述する各機能を実現する。
【００３２】
記憶装置１８は、ハードディスク装置（ＨＤＤ）、ＣＤ（コンパクトディスク）装置等により構成され、上記ＣＰＵ１６１の処理動作を制御するプログラム、瞬時復習の対象情報等を格納する。
【００３３】
通信装置２０は、ネットワークカード等の適宜な通信インターフェースにより構成され、他のコンピュータとの間でデータをやり取りする。
【００３４】
ここで、上記巡回瞬時復習支援装置１０は、スタンドアロンで用いられてもよいが、巡回瞬時復習支援装置１０が通信装置２０を介して他の利用者の作業環境に接続されていてもよい。このとき、他の利用者の作業環境とは、個人の作業環境あるいは、会議などの複数の利用者が集合した作業環境の両方を含んでいる。
【００３５】
図２には、本発明にかかる巡回瞬時復習支援装置の一実施形態の機能ブロック図が示される。図２において、巡回瞬時復習支援装置１０は、開始指示部２２、提示情報選択部２４、提示制御部２６及び要約作成部２８の各機能を含んで構成されており、これらの機能はＣＰＵ１６１とＣＰＵ１６１の処理動作を制御するプログラムとにより実現される。
【００３６】
開始指示部２２は、所定の条件が成立した場合に、巡回瞬時復習の開始を指示する。ここで、瞬時復習とは、以前に読んであるいは見て理解し知っている文書を短時間で復習することをいう。本実施形態においては、予め要約作成部２８が上記文書の要約を作成し、これを画面表示または音声読み上げにより利用者に提示することにより瞬時復習を行う。この場合、複数の要約を後述する所定の継続時間の間繰り返して提示するので、巡回瞬時復習という。また、上記所定の条件としては、例えば利用者からの指示入力、利用者の動作状態、予め登録された利用者のスケジュール等がある。利用者からの指示入力は、表示装置１２ａに表示される所定の画面（後述する実行条件設定画面）から利用者が巡回瞬時復習の開始指示を入力する。また、利用者の動作状態は、例えば電話対応の後、離席していた利用者が席に戻った時、使用者の業務への集中度が低下し、キーボード入力等の動作がなくなった時等の状態をいい、利用者を撮影するカメラから取得する画像情報から開始指示部２２が解析して巡回瞬時復習の開始時刻を決定する。また、利用者のスケジュールは予め記憶装置１８に格納しておき、このスケジュールから、開始指示部２２が巡回瞬時復習の実施可能時刻を算出して巡回瞬時復習の開始時刻を決定する。なお、上記利用者のスケジュールは、通信装置２０を介して他の装置から取得する構成としてもよい。
【００３７】
提示情報選択部２４は、巡回瞬時復習の対象とする情報として、要約作成部２８が予め作成し、記憶装置１８に格納しておいた要約から、提示装置１２により提示する情報を選択する。なお、上記要約は、通信装置２０を介して他の装置から取得する構成としてもよい。また、提示する情報の選択方法については後述する。
【００３８】
提示制御部２６は、開始指示部２２が巡回瞬時復習の開始を指示した場合に、各提示情報（要約）を予め指定した提示時間毎に切り替えながら提示装置１２に提示させる。この提示装置１２に各提示情報を切り替えながら提示させる処理は、予め指定した継続時間の間繰り返され、瞬時復習が巡回実施される（巡回瞬時復習）。上記提示時間は、予め利用者が入力装置１４から指示してもよいし、上記継続時間と提示情報の数とから算出してもよい。また、上記継続時間は、予め利用者が入力装置１４から指示してもよいし、記憶装置１８に格納された利用者のスケジュールに存在する隙間時間を抽出し、この隙間時間に基づいて継続時間を算出してもよい。なお、上記利用者のスケジュールは、通信装置２０を介して他の装置から取得する構成としてもよい。
【００３９】
要約作成部２８は、利用者が理解し知っている文書として記憶装置１８に格納されている文書から巡回瞬時復習に使用する要約を作成する。要約の作成方法については後述する。
【００４０】
図３（ａ），（ｂ），（ｃ）には、巡回瞬時復習の実行条件を設定する方法の説明図が示される。例えば、開始指示部２２が巡回瞬時復習の開始を指示するときの所定の条件として、利用者からの指示入力（実施指示）があった場合、図３（ａ）に示されるような実行条件設定画面が表示装置１２ａに表示される。この実行条件設定画面において、利用者は、提示制御部２６が提示情報（要約）を提示装置１２に提示させ、巡回瞬時復習を継続する時間（継続時間）を設定することができる。また、利用者は、提示制御部２６が各提示情報を切り替えながら提示装置１２に提示する際の提示時間を実行条件設定画面から予め指定することもできる。図３（ａ）の例では、継続時間が１分、提示時間が３秒に設定されている。従って、提示制御部２６は、複数の提示情報を３秒ごとに切り替えながら１分間提示を継続させ、利用者の提示情報の巡回瞬時復習を支援する。例えば、提示情報の数が５個である場合には、各提示情報を順次提示するサイクルが４回繰り返されることになる。
【００４１】
また、図３（ａ）の実行条件設定画面では、提示情報選択部２４が提示装置１２により提示する情報を選択する際の選択方法も指定できる。ここで、「全体」を指定した場合には、記憶装置１８に格納しておいた要約の全てを提示情報として選択する。また、「特定」を指定した場合には、「分野」及び「任意」の選択ができる。ここで、「分野」を選択した場合には、図３（ｂ）に示された分野選択画面に遷移し、この画面により利用者が所望の分野の文書を指定できる。また、「任意」を選択した場合には、図３（ｃ）に示された任意対象指定画面に遷移し、例えば所望の会議その他該当する項目に関係する文書を指定できる。この場合、日付により文書を指定できる構成としてもよい。また、文書を指定する際に、当該文書が格納されているフォルダ名または当該文書のファイル名として利用者が設定しているものを使用できるように構成してもよい。
【００４２】
図４には、本発明にかかる巡回瞬時復習支援装置の動作例のフローが示される。図４は、開始指示部２２が利用者の動作状態に応じて巡回瞬時復習の開始を指示する際の動作例である。また、図５には、開始指示部２２が利用者の動作状態を取得する方法の説明図が示される。本実施形態では、図５に示されるように、カメラ３０等により利用者３２の動作を撮影し、その画像情報を開始指示部２２が取得する構成となっている。
【００４３】
図４において、開始指示部２２は、カメラ３０により撮影した利用者の画像情報を取得する（Ｓ１０１）。
【００４４】
次に、開始指示部２２は、上記取得した画像情報を解析し、利用者の動作状態を判定する。利用者の動作状態としては、例えば電話対応中の状態、離席していた利用者が席に戻って着席した状態、使用者の業務への集中度が低下し、キーボード入力等の動作がなくなった状態等があり、予め定めておく。開始指示部２２は、上記画像情報から利用者が上記所定の動作状態であるか否かを判定し（Ｓ１０２）、当該状態にあると判定した際に、利用者に対して巡回瞬時復習を開始するか否かを問い合わせる（Ｓ１０３）。この問い合わせは、例えば図３（ａ）に示された実行条件設定画面を表示装置１２ａに表示することにより行う。なお、音声により上記問い合わせを行ってもよい。また、上記動作状態によらず、例えば一定時間間隔で上記問い合わせを行うようにしてもよい。
【００４５】
一方、Ｓ１０２において、利用者が上記所定の動作状態にないと判定した場合には、Ｓ１０１からのステップを繰り返す。
【００４６】
開始指示部２２は、上記問い合わせに対して、利用者から実行条件設定画面への指示入力があった場合等、巡回瞬時復習の開始指示が有ったか否かを判定し（Ｓ１０４）、利用者からの開始指示があった場合に、提示情報選択部２４及び提示制御部２６に対して巡回瞬時復習の開始を指示する（Ｓ１０５）。なお、利用者からの開始指示がない場合には、Ｓ１０１からのステップを繰り返す。
【００４７】
図６には、本発明にかかる巡回瞬時復習支援装置の他の動作例のフローが示される。図６は、開始指示部２２が記憶装置１８に予め登録された利用者のスケジュールに基づいて巡回瞬時復習の開始を指示する際の動作例である。
【００４８】
図６において、開始指示部２２は、上記利用者のスケジュールを解析し（Ｓ２０１）、巡回瞬時復習用の隙間時間があるか否かを判定する（Ｓ２０２）。巡回瞬時復習用の隙間時間がない場合には、Ｓ２０１からのステップを繰り返す。なお、スケジュール解析の工程は、図７で説明する。
【００４９】
Ｓ２０２において、巡回瞬時復習用の隙間時間があると判定した場合には、当該隙間時間の中に巡回瞬時復習の開始時刻を設定する（Ｓ２０３）。開始指示部２２は、この開始時刻の到来を監視し（Ｓ２０４）、開始時刻が到来すると、利用者に対して巡回瞬時復習を開始するか否かを問い合わせる（Ｓ２０５）。この問い合わせは、例えば図３（ａ）に示された実行条件設定画面を表示装置１２ａに表示することにより行う。なお、音声により上記問い合わせを行ってもよい。
【００５０】
開始指示部２２は、上記問い合わせに対して、利用者から巡回瞬時復習の開始指示が有ったか否かを判定し（Ｓ２０６）、利用者からの開始指示があった場合に、提示情報選択部２４及び提示制御部２６に対して巡回瞬時復習の開始を指示する（Ｓ２０７）。なお、利用者からの開始指示がない場合には、Ｓ２０４からのステップを繰り返す。
【００５１】
図７には、上記Ｓ２０１におけるスケジュール解析の動作例のフローが示される。図７において、開始指示部２２は、利用者のスケジュールを取得し（Ｓ３０１）、このスケジュールから（１）会議／打合せ／ミーティング，（２）外出／出張，（３）その他の離席事項等の、予め設定した除外項目に該当する時間帯を除いて、隙間時間候補Ｔｉ（ｉ＝１〜ｎ）を抽出する（Ｓ３０２）。
【００５２】
ここで、除外項目は上記（１）〜（３）に記載したものに限定されず、利用者の作業の種類、状況等に応じて適宜設定することができる。また、会議／打合せ／ミーティングの場合には、開始前に隙間時間候補Ｔｉを設定してもよい。
【００５３】
次に、開始指示部２２は、上記抽出した各Ｔｉが所定の閾値Ｋ以上であるか否かを判定する（Ｓ３０３）。ここで、Ｋの値は利用者の作業の種類、状況等に応じて適宜設定することができる。
【００５４】
Ｓ３０３において、ＴｉがＫ以上である場合には、当該隙間時間候補を巡回瞬時復習用の隙間時間として採用はせず、他の業務、例えば巡回ワーク等の他の業務を設定し（Ｓ３０４）、Ｓ３０２からのステップを繰り返す。なお、巡回ワークとは、複数の業務を短時間で切り替えながら実施することをいう。また、Ｓ３０３において、ＴｉがＫより短い場合には、当該隙間時間候補を巡回瞬時復習用の隙間時間に採用する（Ｓ３０５）。
【００５５】
以上の各ステップを、具体例により説明する。例えば、利用者のスケジュールが、午前９：００始業で、午前１０：００〜１１：００に会議、午後１３：００以降外出及び外出先で打合せとなっていた場合、Ｓ３０２で抽出される隙間時間候補Ｔｉは午前９時から１０時（Ｔ１）、及び午前１１時から１２時（Ｔ２）となる。このうち、Ｔ１については、会議開始前ということで、１０：５０〜１０：５５を巡回瞬時復習用の隙間時間に設定する構成とする。なお、この際９：００〜１０：５０までは他の業務に使用される。また、会議終了後には移動、休憩時間として１５分とる構成とすると、Ｔ２については、１１：１５〜１２：００が隙間時間候補となる。Ｋ＝５分とすると、Ｓ３０３，Ｓ３０４において巡回瞬時復習用の隙間時間に採用できないので、Ｓ３０４で例えば巡回ワークが設定される。このとき、設定される巡回ワークが１０分間毎に４つの業務を実施するものであるとすると、Ｔ２の期間に５分の余り時間が生じる。そこで、Ｓ３０２において隙間時間候補Ｔｉを再演算し、Ｓ３０３，Ｓ３０４において例えば１１：３５〜１１：４０を巡回瞬時復習用の隙間時間に採用する。
【００５６】
なお、提示情報を音声再生装置１２ｂより読み上げる構成とすると、他の業務を実施しながら聞くことができ、上述した隙間時間を探す処理は行わなくてもよい。
【００５７】
図８には、本発明にかかる巡回瞬時復習支援装置のさらに他の動作例のフローが示される。図８は、開始指示部２２が巡回瞬時復習の開始を指示した場合に、提示情報選択部２４及び提示制御部２６が行う巡回瞬時復習の支援動作例である。
【００５８】
図８において、開始指示部２２が巡回瞬時復習の開始指示を出力すると（Ｓ４０１）、提示情報選択部２４が、要約作成部２８が予め作成し、記憶装置１８に格納しておいた要約から、提示装置１２により提示する提示情報を選択する（Ｓ４０２）。この場合、例えば図３（ａ）に示された実行条件設定画面から利用者が入力した選択方法により提示情報を選択する。また、提示制御部２６が、例えば図３（ａ）に示された実行条件設定画面から利用者が入力した継続時間及び提示時間を取得する（Ｓ４０３）。
【００５９】
次に、提示制御部２６は、提示情報選択部２４が選択した提示情報を、上記提示時間毎に切り替えながら提示装置１２に提示させ、巡回瞬時復習を実行する（Ｓ４０４）。この状態で、継続時間が経過したか否かを監視し（Ｓ４０５）、継続時間が経過した場合には、提示装置１２における提示を終了する（Ｓ４０６）。
【００６０】
なお、巡回瞬時復習を行う際に提示情報選択部２４が提示情報を選択する方法は、図３（ａ）に示された実行条件設定画面から利用者が入力した選択方法に従ってもよいが、全提示情報を効率的に巡回瞬時復習の対象にするのが好適である。以下に、そのための実施形態を説明する。
【００６１】
図９（ａ），（ｂ），（ｃ）には、巡回瞬時復習においてどの情報が提示されたかを確認する方法の説明図が示される。図９（ａ）において、各ドット（白丸）が各提示情報を表しており、ドットの分布により提示情報の分布が示される。
【００６２】
また、図９（ｂ），（ｃ）では、１回または複数回の巡回瞬時復習を実施した際に、提示装置１２に提示された提示情報が、斜線を付したドットにより示されている。図９（ｂ）の場合が、特定の分野の提示情報を使用して巡回瞬時復習を実施した結果であり、図９（ｃ）の場合が、全体の提示情報を平均的に満遍なく使用して巡回瞬時復習を実施した結果である。そこで、提示情報選択部２４は、巡回瞬時復習に使用した情報と、まだ使用していない情報とを確認し、予め指定された選択方法（例えば分野毎に提示するのか、平均的に満遍なく提示するのか、一度提示した情報を再度提示してから残りの情報を提示するのか等）に応じて次の巡回瞬時復習に使用する情報を選択する。この場合、上記提示済の提示情報の数の、提示情報全体の数に対する割合を、棒グラフ等により提示装置１２に提示してもよい。このようにして、提示情報選択部２４が提示情報を効率的に選択する。
【００６３】
また、巡回瞬時復習を行う際には、提示装置１２に提示された提示情報について利用者が口頭で何に関する情報かを返答し、これをマイク等で取得して言語的に分析し、利用者の理解度を確認する構成としてもよい。この場合、提示装置１２に効果確認テスト等を提示して効果確認を行ってもよい。
【００６４】
図１０には、要約作成部２８が要約を作成する動作例のフローが示される。図１０において、要約作成部２８は、巡回瞬時復習の対象となる文書を取得し（Ｓ５０１）、当該文書のサイズを測定する（Ｓ５０２）。ここで、文書のサイズは、文字数、データの容量（バイト数）等により測定する。
【００６５】
次に、上記文書のサイズが所定の閾値以下であるか否かを判定する（Ｓ５０３）。なお、文書のサイズを文字数で測定した場合には、閾値として文字数（例えば２００文字）を設定する。
【００６６】
Ｓ５０３において、文書のサイズが所定の閾値を超えている場合には、要約処理を行う（Ｓ５０４）。ここで、要約処理は、特に限定されないが、例えば文書タイトルと出現頻度が所定値以上の漢字の熟語等とすることができる。また、対象となる文書に既に要約が添付されている場合には、その要約を提示情報として使用してもよい。このようにして作成した要約は、要約作成部２８が記憶装置１８に格納する（Ｓ５０５）。なお、Ｓ５０３において文書のサイズが所定の閾値以下である場合には、その文書サイズのままで記憶装置１８に提示情報として格納する。
【００６７】
上述した、図４，図６，図７，図８及び図１０の各ステップを実行するためのプログラムは、記録媒体に格納することも可能であり、また、そのプログラムを通信手段によって提供することもできる。その場合、例えば、上記説明したプログラムについて、「プログラムを記録したコンピュータ読み取り可能な記録媒体」の発明として捉えることもできる。
【００６８】
「プログラムを記録したコンピュータ読み取り可能な記録媒体」とは、プログラムのインストール、実行、プログラムの流通などのために用いられる、プログラムが記録されたコンピュータで読み取り可能な記録媒体をいう。
【００６９】
以上、本発明の実施形態をいくつか紹介したが、本発明は上記実施形態に限定されるものではない。
【図面の簡単な説明】
【００７０】
【図１】本発明にかかる巡回瞬時復習支援装置のハードウエア構成の例を示す図である。
【図２】本発明にかかる巡回瞬時復習支援装置の一実施形態の機能ブロック図である。
【図３】巡回瞬時復習の実行条件を設定する方法の説明図である。
【図４】本発明にかかる巡回瞬時復習支援装置の動作例のフロー図である。
【図５】開始指示部が利用者の動作状態を取得する方法の説明図である。
【図６】本発明にかかる巡回瞬時復習支援装置の他の動作例のフロー図である。
【図７】スケジュール解析の動作例のフロー図である。
【図８】本発明にかかる巡回瞬時復習支援装置のさらに他の動作例のフロー図である。
【図９】巡回瞬時復習においてどの情報が提示されたかを確認する方法の説明図である。
【図１０】要約作成部が要約を作成する動作例のフロー図である。
【符号の説明】
【００７１】
１０  巡回瞬時復習支援装置、１２  提示装置、１２ａ  表示装置、１２ｂ  音声再生装置、１４  入力装置、１６  処理部、１８  記憶装置、２０  通信装置、２２  開始指示部、２４  提示情報選択部、２６  提示制御部、２８  要約作成部、３０  カメラ、３２  利用者、１６１  ＣＰＵ、１６２  メモリ。
【図１】
2009151366.tif 000003
【図２】
2009151366.tif 000004
【図３】
2009151366.tif 000005
【図４】
2009151366.tif 000006
【図５】
2009151366.tif 000007
【図６】
2009151366.tif 000008
【図７】
2009151366.tif 000009
【図８】
2009151366.tif 000010
【図９】
2009151366.tif 000011
【図１０】
2009151366.tif 000012